(57)【要約】【課題】表示部の個体間の輝度特性にばらつきがある場合でも、表示データを補正することなく、特定の輝度関係を有するように各表示部への表示を行うことが可能な携帯端末を提供する。【解決手段】携帯端末は、入力量に応じた輝度で表示を行う第１表示部及び第２表示部と前記第1表示部の第１表示領域の輝度と入力量との関係及び前記第２表示部の第２表示領域の輝度と入力量との関係を示す特性情報を記憶する記憶部とを備え、前記第１表示領域の目標輝度が第１輝度と、前記第２表示領域の目標輝度が前記第１輝度と特定の関係を有する第２輝度と決定された場合に、前記特性情報に基づいて特定した、前記第１表示領域の輝度を前記第１輝度に制御するための第１入力量を前記第１表示部に入力し、前記第２表示領域の輝度を前記第２輝度に制御するための第２入力量を前記第２表示部に入力するよう制御する。【選択図】図２
2012220937.tif 000002
【特許請求の範囲】
【請求項１】
第１表示領域を有し、入力量に応じた輝度で表示を行う第１表示部と、
第２表示領域を有し、入力量に応じた輝度で表示を行う第２表示部と、
前記第１表示領域の輝度と当該輝度に制御するための入力量との関係及び前記第２表示領域の輝度と当該輝度に制御するための入力量との関係を示す特性情報を記憶する記憶部と、
前記第１表示領域の目標輝度が第１輝度と、前記第２表示領域の目標輝度が前記第１輝度と特定の関係を有する第２輝度と決定された場合に、前記記憶部の前記特性情報に基づいて、前記第１表示領域の輝度を前記第１輝度に制御するための第１入力量と、前記第２表示領域の輝度を前記第２輝度に制御するための第２入力量とをそれぞれ特定し、特定した前記第１入力量を前記第１表示部に入力し、特定した前記第２入力量を前記第２表示部に入力するよう制御する輝度制御部とを備える
ことを特徴とする携帯端末。
【請求項２】
前記第１表示部は、前記第１表示領域を有するＬＣＤ（Liquid Crystal Display）と、入力された電流量に応じた明るさで発光する第１バックライトとを含み、
前記第２表示部は、前記第２表示領域を有するＬＣＤと、入力された電流量に応じた明るさで発光する第２バックライトとを含み、
前記特性情報は、各表示領域の輝度と当該輝度に制御するために各バックライトに入力されるべき電流量との関係を示す情報であり、
前記輝度制御部は、前記特性情報に基づいて、前記第１表示領域の輝度を前記第１輝度に制御するための電流量を前記第１入力量として、前記第２表示領域の輝度を前記第２輝度に制御するための電流量を前記第２入力量としてそれぞれ特定する
ことを特徴とする請求項１記載の携帯端末。
【請求項３】
前記特性情報は、複数の輝度レベル毎に、当該輝度レベルを示す情報と、当該輝度レベルに各表示領域を制御するために各バックライトに入力すべき電流量を示す情報とを対応付けたものであり、
前記第１輝度及び前記第２輝度は、前記複数の輝度レベルの内のいずれかの輝度レベルを示すものであり、
前記輝度制御部は、前記第１輝度を示す情報と前記特定情報において対応付けられている情報が示す前記第１バックライトに入力すべき電流量を前記第１入力量として、前記第２輝度を示す情報と前記特定情報において対応付けられている情報が示す前記第２バックライトに入力すべき電流量を前記第２入力量としてそれぞれ特定する
ことを特徴とする請求項２記載の携帯端末。
【請求項４】
前記輝度制御部は、前記複数の輝度レベルの内の共通する一のレベルが前記第１輝度及び前記第２輝度と決定された場合に、前記第１入力量及び前記第２入力量を特定し、特定した前記第１入力量を前記第１表示部に入力し、特定した前記第２入力量を前記第２表示部に入力するよう制御する
ことを特徴とする請求項３記載の携帯端末。
【請求項５】
前記携帯端末は、更に
前記第１表示部における輝度と前記第１バックライトに入力する電流量との関係を示す情報を受け付ける受付部と、
各バックライトに共通の電流量を入力した後に、少なくとも一方のバックライトに入力する電流量を変化させることで、各表示領域の輝度が同程度になった際の前記第１表示領域における輝度を、その際に前記第１バックライトに入力されていた電流量と前記受付部が受け付けた情報とに基づいて特定し、
特定した前記第１表示領域における輝度と各表示領域の輝度が同程度になった際に前記第２バックライトに入力されていた電流量との関係を示す情報及び前記受付部が受け付けた情報を前記特性情報として前記記憶部に登録する登録部とを備える
ことを特徴とする請求項２記載の携帯端末。
【請求項６】
第１表示領域を有し、輝度を制御するための入力量に応じた輝度で表示を行う第１表示部と、
第２表示領域を有し、輝度を制御するための入力量に応じた輝度で表示を行う第２表示部と、
前記第１表示領域の輝度と当該輝度に制御するための入力量との関係及び前記第２表示領域の輝度と当該輝度に制御するための入力量との関係を示す特性情報を記憶する記憶部と、
前記第１表示領域の目標輝度が第１輝度と、前記第２表示領域の目標輝度が前記第１輝度と特定の関係を有する第２輝度と決定された場合に、前記記憶部の前記特性情報に基づいて、前記第１表示領域の輝度を前記第１輝度に制御するための第１入力量と、前記第２表示領域の輝度を前記第２輝度に制御するための第２入力量とをそれぞれ特定し、特定した前記第１入力量を前記第１表示部に入力し、特定した前記第２入力量を前記第２表示部に入力するよう制御する輝度制御部とを備える
ことを特徴とする表示装置。
【請求項７】
第１表示領域を有し、入力量に応じた輝度で表示を行う第１表示部と、第２表示領域を有し、入力量に応じた輝度で表示を行う第２表示部とを備える携帯端末における輝度制御方法であって、
前記第１表示領域の輝度と当該輝度に制御するための入力量との関係及び前記第２表示領域の輝度と当該輝度に制御するための入力量との関係を示す特性情報を記憶する記憶ステップと、
前記第１表示領域の目標輝度が第１輝度と、前記第２表示領域の目標輝度が前記第１輝度と特定の関係を有する第２輝度と決定された場合に、前記記憶ステップにより記憶された前記特性情報に基づいて、前記第１表示領域の輝度を前記第１輝度に制御するための第１入力量と、前記第２表示領域の輝度を前記第２輝度に制御するための第２入力量とをそれぞれ特定し、特定した前記第１入力量を前記第１表示部に入力し、特定した前記第２入力量を前記第２表示部に入力するよう制御する輝度制御ステップとを含む
ことを特徴とする輝度制御方法。
【請求項８】
第１表示領域を有し、入力量に応じた輝度で表示を行う第１表示部と、第２表示領域を有し、入力量に応じた輝度で表示を行う第２表示部とを備える携帯端末におけるプロセッサに、輝度制御処理を行わせるためのプログラムであって、
前記第１表示領域の輝度と当該輝度に制御するための入力量との関係及び前記第２表示領域の輝度と当該輝度に制御するための入力量との関係を示す特性情報を記憶する記憶ステップと、
前記第１表示領域の目標輝度が第１輝度と、前記第２表示領域の目標輝度が前記第１輝度と特定の関係を有する第２輝度と決定された場合に、前記記憶ステップにより記憶された前記特性情報に基づいて、前記第１表示領域の輝度を前記第１輝度に制御するための第１入力量と、前記第２表示領域の輝度を前記第２輝度に制御するための第２入力量とをそれぞれ特定し、特定した前記第１入力量を前記第１表示部に入力し、特定した前記第２入力量を前記第２表示部に入力するよう制御する輝度制御ステップとを含む
ことを特徴とするプログラム。
【発明の詳細な説明】
【技術分野】
【０００１】
本発明は、複数の表示部を有する携帯電話機等の携帯端末に関し、特に、各表示部の輝度制御技術に関する。
【背景技術】
【０００２】
複数の表示部を備える携帯電話機等の携帯端末が知られている。
このような携帯端末では、表示部が複数あることを生かした表示、例えば、複数の表示部に１つの大きな画像を分割して表示することや、複数の表示部に関連する画像を表示するといったことが行われる。
このような表示を行う場合に、ユーザに違和感のないようにするため、あるいはユーザに特定の視覚効果を与えるために、各表示部の輝度が同程度になるように制御したり、一方の輝度が他方の輝度より高くなるように制御したりといったように、各表示部の輝度が特定の関係を有するように制御することが考えられる。
【０００３】
ところで、表示部の一個体中の輝度特性のばらつきを考慮して表示領域の輝度を補正する技術が知られている（例えば、特許文献１）。
特許文献１の技術は、輝度センサを用いて測定した表示部の輝度に基づいて、表示データの明暗を補正し、補正後の表示データを表示させることで、表示部の一個体中の輝度特性のばらつきに関係なく、特定の輝度で表示を行えるようにしたものである。
【先行技術文献】
【特許文献】
【０００４】
【特許文献１】特開２００６−３３０１８７号公報
【発明の概要】
【発明が解決しようとする課題】
【０００５】
上述のような複数の表示部を備える携帯端末において、各表示部の輝度が特定の関係を有するように制御するために、特許文献１の方法を適用することも考えられる。
しかしながら、特許文献１の方法では、各表示部に表示を行う際に、それぞれの画面全体分の明暗を補正した表示データを生成する必要があるため、処理負荷の観点からは、必ずしも望ましい方法とは言えない。
【０００６】
そこで、本発明は係る問題に鑑みてなされたものであり、表示部の個体間の輝度特性にばらつきがある場合でも、表示データを補正することなく、特定の輝度関係を有するように各表示部への表示を行うことが可能な携帯端末を提供することを目的とする。
【課題を解決するための手段】
【０００７】
上記課題を解決するために、本発明に係る携帯端末は、第１表示領域を有し、入力量に応じた輝度で表示を行う第１表示部と、第２表示領域を有し、入力量に応じた輝度で表示を行う第２表示部と、前記第１表示領域の輝度と当該輝度に制御するための入力量との関係及び前記第２表示領域の輝度と当該輝度に制御するための入力量との関係を示す特性情報を記憶する記憶部と、前記第１表示領域の目標輝度が第１輝度と、前記第２表示領域の目標輝度が前記第１輝度と特定の関係を有する第２輝度と決定された場合に、前記記憶部の前記特性情報に基づいて、前記第１表示領域の輝度を前記第１輝度に制御するための第１入力量と、前記第２表示領域の輝度を前記第２輝度に制御するための第２入力量とをそれぞれ特定し、特定した前記第１入力量を前記第１表示部に入力し、特定した前記第２入力量を前記第２表示部に入力するよう制御する輝度制御部とを備えることを特徴とする。
【発明の効果】
【０００８】
上記構成を備える本発明に係る携帯端末によれば、表示部の個体間の輝度特性にばらつきがある場合でも、表示データを補正することなく、特定の輝度関係を有するように各表示部への表示を行うことができる。
【図面の簡単な説明】
【０００９】
【図１】実施の形態１に係る携帯電話機１００の閉状態及び開状態の外観を示す図
【図２】携帯電話機１００の主要部の機能構成を示すブロック図
【図３】特性情報テーブル１０のデータ構成及び内容例を示す図
【図４】各バックライトに電流Ｉ０を入力した場合の各表示部の輝度の測定結果を示す図
【図５】各輝度レベルと各バックライトに入力すべき電流量との関係を示す図
【図６】携帯電話機１００の輝度制御処理を示すフローチャート
【図７】各表示部の目標輝度レベルを決定する方法を説明するための図
【図８】特性情報テーブル１０に登録されていない第１バックライトへの入力電流を算出する方法を説明するための図
【図９】特性情報テーブル１０に登録されていない第２バックライトへの入力電流を算出する方法を説明するための図
【図１０】実施の形態２に係る携帯電話機２００の主要部の機能構成を示すブロック図
【図１１】携帯電話機２００の登録処理を示すフローチャート
【発明を実施するための形態】
【００１０】
以下、本発明に係る携帯端末の一実施形態としての携帯電話機について説明する。
≪実施の形態１≫
＜概要＞
実施の形態１に係る携帯電話機は、第１表示部及び第２表示部という２つの表示部を備え、各表示部の輝度が同程度になるように、各表示部のバックライト（ＬＥＤ（Light Emitting Diode）バックライト）を制御するものである。
【００１１】
各バックライトは、所定の入力電流の範囲において、入力電流量に応じた明るさで発光するものであるが、個体間の輝度特性のばらつきにより、同一電流の入力に対する明るさが異なるものである。
そのために、この携帯電話機は、制御可能な複数の輝度レベル毎に、第１表示部のバックライトに入力すべき電流量を示す情報と第２表示部のバックライトに入力すべき電流量を示す情報とを対応付けて記憶しておき、この情報に基づいて各バックライトに入力する電流量を制御することで、各表示部の輝度が同程度になるよう制御する。
【００１２】
これにより、各表示部を見たユーザに違和感がないようにすることができる。
＜装置構成＞
まず、実施の形態１に係る携帯電話機１００の装置構成について説明する。
図１（ａ）は携帯電話機１００の閉状態の外観を示す斜視図であり、図１（ｂ）は、携帯電話機１００の開状態の外観を示す斜視図であり、図１（ｃ）は、携帯電話機１００の開状態の外観を示す正面図である。
【００１３】
携帯電話機１００は、図１（ａ）〜（ｃ）に示されるように、第１筐体１と第２筐体２とが相対的に移動可能ないわゆるスライド式の端末であり、第１筐体１、第２筐体２及び第１筐体１と第２筐体２とを接続するアーム３を備えている。
第１筐体１には、レシーバ４、マイク５、光センサ１３０及び第１表示部１１０が備えられており、第２筐体２には、第２表示部１２０が備えられている。
【００１４】
アーム３は、その基端側が第２筐体２に回転自在に軸支されており、先端側が第１筐体１をスライド移動並びに回転自在に支持している。
従って、この携帯電話機１００は、第１筐体１と第２筐体２とが単なる相対回動するだけでなく、閉状態と開状態とに変更することが可能である。
携帯電話機１００は、図１（ａ）に示すように、第２筐体２に第１筐体１が重ね合わさり、第２表示部１２０が視認できない閉状態から、アーム３により、第１筐体１が第２筐体２の表面に沿って移動し、図１（ｂ）、（ｃ）に示すように、第１筐体１の表面と第２筐体２の表面とが略同一平面上に揃う開状態となり、第１表示部１１０及び第２表示部１２０が視認可能な開状態になる。
【００１５】
＜機能構成＞
図２は、携帯電話機１００の主要部の機能構成を示すブロック図である。
携帯電話機１００は、同図に示すように、本発明に係る表示装置の一実施形態に係る表示装置１６０を含んで構成されており、第１表示部１１０、ＬＣＤ（Liquid Crystal Display）コントローラ１１３、ＬＥＤコントローラ１１４、第１タッチパネル１１５、タッチパネルコントローラ１１６、第２表示部１２０、ＬＣＤコントローラ１２３、ＬＥＤコントローラ１２４、第２タッチパネル１２５、タッチパネルコントローラ１２６、光センサ１３０、計時部１３１、記憶部１４０及び制御部１５０を備える。
【００１６】
なお、携帯電話機１００は、通常の携帯電話機が備える通信部や、図１で示したレシーバ４、マイク５等を備えるが、同図では、図示を省略している。また、携帯電話機１００は、プロセッサ及びメモリを含んで構成されており、制御部１５０の各機能は、上述のメモリに記憶されているプログラムを上述のプロセッサが実行することにより実現される。
ここで、第１表示部１１０は、第１ＬＣＤ１１１及び第１バックライト１１２を備え、第２表示部１２０は、第２ＬＣＤ１２１及び第２バックライト１２２を備える。
【００１７】
第１バックライト１１２及び第２バックライト１２２は、エッジライト方式のＬＥＤバックライトであり、入力された電流量に応じた明るさで発光するものである。
また、ＬＣＤコントローラ１１３は、制御部１５０からの指示を受けて、第１ＬＣＤ１１１に、ＬＣＤコントローラ１２３は、制御部１５０からの指示を受けて、第２ＬＣＤ１２１に各種画像を表示させるＩＣ（Integrated Circuit）である。
【００１８】
また、ＬＥＤコントローラ１１４は、制御部１５０からの指示に応じた電流量を第１バックライト１１２に、ＬＥＤコントローラ１２４は、制御部１５０からの指示に応じた電流量を第２バックライト１２２に入力するよう制御するＩＣである。
なお、入力する電流量を制御する方法は、従来から行われている様々な方法を用いることができ、例えば、各バックライト（ＬＥＤ）への電圧を、レギュレータを用いて制御することで、各バックライトに入力する電流量を制御することができる。
【００１９】
また、第１タッチパネル１１５及び第２タッチパネル１２５は、例えば、静電容量方式のタッチセンサであり、第１タッチパネル１１５は、第１表示部１１０に重畳して設けられ、第２タッチパネル１２５は、第２表示部１２０に重畳して設けられている。なお、各タッチパネルは、透明部材を用いて構成されており、各表示部に表示された画像が見えるように構成されている。
【００２０】
タッチパネルコントローラ１１６は、第１タッチパネル１１５へのユーザの指等の接触を検出し、検出している間、一定時間（例えば、２５ｍｓ）毎に、その第１タッチパネルにおける接触位置の座標値（ｘ，ｙ）を制御部１５０に出力するＩＣである。
また、タッチパネルコントローラ１２６は、タッチパネルコントローラ１１６と同様に、第２タッチパネル１２５への接触の検出と座標値の出力を行うＩＣである。
【００２１】
また、光センサ１３０は、周囲の明るさを検出し、検出した明るさに対応する電圧レベルの信号を制御部１５０へ出力する回路であり、例えば、フォトダイオードにより実現される。
また、計時部１３１は、制御部１５０からの指示に応じて計時を開始し、所定時間（例えば１０秒）を計時すると、その旨を制御部１５０に通知する機能を有し、例えば、タイマやカウンタにより実現される。
【００２２】
また、記憶部１４０は、特性情報テーブル１０を記憶するためのメモリ領域であり、フラッシュメモリ等の不揮発性メモリにより実現される。
ここで、特性情報テーブル１０は、制御可能な輝度レベル毎に、その輝度レベルに各表示部（１１０、１２０）の輝度を制御するために各バックライト（１１２、１２２）に入力すべき電流量を示す情報を登録したテーブルである（図５参照）。この特性情報テーブル１０については、後に詳細に説明する。
【００２３】
また、制御部１５０は、一般的な携帯電話機が有する機能の他、特に、各表示部の輝度レベルが同程度になるように、各ＬＥＤコントローラ（１１４、１２４）を介して各バックライトを制御する機能を有する。なお、制御部１５０は、いずれかのタッチパネルコントローラ（１１６又は１２６）から座標値が出力される毎に、計時部１３１に所定時間の計時を開始させる機能も有する。
【００２４】
制御部１５０は、処理実行部１５１、表示制御部１５２及び輝度制御部１５３を含んで構成される。
ここで、処理実行部１５１は、各タッチパネルコントローラ（１１６、１２６）から出力された座標値が示す各タッチパネル上の位置に応じた処理を実行する機能を有する。
例えば、出力された座標値が示す位置にアイコンが表示されている場合に、処理実行部１５１は、そのアイコンに割り当てられている処理を実行する。
【００２５】
また、表示制御部１５２は、処理実行部１５１の処理結果に応じた画面を、各ＬＣＤコントローラ（１１３、１２３）を介して各ＬＣＤ（１１１、１２１）に表示させる機能を有する。
また、輝度制御部１５３は、光センサ１３０から出力された信号に基づいて、各表示部の輝度レベルを決定し、決定した輝度レベルに制御するために各バックライトに入力すべき電流量を特定し、特定した電流量を示す情報を指定したバックライトの点灯指示を各ＬＥＤコントローラに行う機能を有する。
【００２６】
また、輝度制御部１５３は、計時部１３１からの所定時間を計時した旨の通知があった場合、つまり、所定時間以上、各タッチパネルを介したユーザ操作が行われていない場合に、バックライトの消灯指示を各ＬＥＤコントローラに行う機能を有する。
＜データ＞
以下では、携帯電話機１００が使用するデータについて、図３を用いて説明する。
【００２７】
図３は、特性情報テーブル１０のデータ構成及び内容例を示す図である。
特性情報テーブル１０は、同図に示すように、輝度レベル１１、第１バックライトへの入力電流１２及び第２バックライトへの入力電流１３を対応付けて構成される情報であり、携帯電話機１００の製造時に予めメーカにより記憶部１４０に登録される。
なお、同図に示すＩ１１〜Ｉ１５及びＩ２１〜Ｉ２５は具体的な数値を表しているものとする。
【００２８】
ここで、輝度レベル１１は、Ｌ１〜Ｌ５までの５段階の輝度を示す情報であり、第１バックライトへの入力電流１２は、第１表示部１１０の輝度を対応する輝度レベルに制御するために、第１バックライト１１２に入力すべき電流量を示す情報である。
また、第２バックライトへの入力電流１３は、第２表示部１２０の輝度を対応する輝度レベルに制御するために、第２バックライト１２２に入力すべき電流量を示す情報である。
【００２９】
同図は、例えば、輝度レベルを「Ｌ１」に制御するための第１バックライトへの入力電流は「Ｉ１１」であり、第２バックライトへの入力電流は「Ｉ２１」であることを示している。
以下、特性情報テーブル１０に登録されている第１バックライトへの入力電流１２及び第２バックライトへの入力電流１３の算出方法を図４及び図５を用いて説明する。
【００３０】
図４は、各バックライトに電流Ｉ０を入力した場合の各表示部の輝度の測定結果を示す図である。
同図では、各バックライトに電流Ｉ０を入力し、各表示部の画面中央の輝度を輝度計で測定した結果、第１表示部１１０の輝度がＬ１０、第２表示部１２０の輝度がＬ２０であったことを示している。
【００３１】
ここで、各バックライトへの入力電流と各表示部の輝度とは、各バックライト（ＬＥＤ）に入力可能な電流の範囲内において比例関係にあることが一般的に知られている。
従って、第１バックライト１１２への入力電流と第１表示部１１０の輝度との関係（以下、「第１表示部１１０の特性」ともいう）は、同図において実線で表す、原点及び点Ｐ１を通る直線で示される。また、第２バックライト１２２への入力電流と第２表示部１２０の輝度との関係（以下、「第２表示部１２０の特性」ともいう）は、同図において一点鎖線で表す、原点及び点Ｐ２を通る直線で示される。
【００３２】
なお、第１表示部１１０の特性は数１で、第２表示部１２０の特性は数２で示される。
［数１］
第１バックライト１１２への入力電流Ｉ１＝Ｉ０／Ｌ１０×第１表示部１１０の目標輝度Ｌ
［数２］
第２バックライト１２２への入力電流Ｉ２＝Ｉ０／Ｌ２０×第２表示部１２０の目標輝度Ｌ
図５は、各輝度レベルと各バックライトに入力すべき電流量との関係を示す図である。
【００３３】
上記数１及び数２により、同図に示す各輝度レベル（Ｌ１〜Ｌ５）に制御するために、第１バックライト１１２への入力電流Ｉ１１〜Ｉ１５及び第２バックライト１２２への入力電流Ｉ２１〜Ｉ２５を算出することができる。
例えば、第１バックライト１１２への入力電流Ｉ１１は「Ｉ０／Ｌ１０×Ｌ１」と、第２バックライト１２２への入力電流Ｉ２１は「Ｉ０／Ｌ２０×Ｌ１」と算出できる。
【００３４】
＜動作＞
次に、上記構成を備える携帯電話機１００の動作について、図６を用いて説明する。
図６は、携帯電話機１００の輝度制御処理を示すフローチャートである。
同図に示す輝度制御処理は、携帯電話機１００の電源がＯＮになると開始され、特に図示していないが、電源がＯＦＦになると終了される。
【００３５】
まず、制御部１５０の輝度制御部１５３は、光センサ１３０からの検出した明るさに対応する電圧レベルの信号に基づいて、各表示部の輝度レベルを決定する（ステップＳ１）。
輝度制御部１５３は、図７に示すように、光センサ１３０からの信号が示す明るさの範囲を５段階に分けるための閾値Ｔｈ１〜Ｔｈ４を用いて、各表示部の目標輝度レベルを決定する。
【００３６】
即ち、同図に示すように、各表示部の目標輝度レベルを、光センサ１３０からの信号が示す明るさがＴｈ１未満である場合には「Ｌ１」に、Ｔｈ１以上Ｔｈ２未満である場合には「Ｌ２」に、Ｔｈ２以上Ｔｈ３未満である場合には「Ｌ３」に、Ｔｈ３以上Ｔｈ４未満である場合には「Ｌ４」に、Ｔｈ４以上である場合には「Ｌ５」に決定する。
続いて、輝度制御部１５３は、ステップＳ１で決定した各表示部の目標輝度レベルが、前回の目標輝度レベルから変化したか否かを判定する（ステップＳ２）。
【００３７】
決定した各表示部の目標輝度レベルが変化した場合に（ステップＳ２：ＹＥＳ）、輝度制御部１５３は、決定した輝度レベルに対応する各バックライトへの入力電流を示す情報を記憶部１４０の特性情報テーブル１０から取得する（ステップＳ３）。
例えば、ステップＳ１で決定した各表示部の輝度レベルが「Ｌ３」である場合には、図３の例では、第１バックライトへの入力電流を示す情報「Ｉ１３」、第２バックライトへの入力電流を示す情報「Ｉ２３」を取得することになる。
【００３８】
また、輝度制御部１５３は、ステップＳ３で取得した第１バックライトへの入力電流を示す情報を指定した点灯指示をＬＥＤコントローラ１１４に行い、ステップＳ３で取得した第２バックライトへの入力電流を示す情報を指定した点灯指示をＬＥＤコントローラ１２４に行う（ステップＳ４）。
なお、この点灯指示を受けたＬＥＤコントローラ１１４は、その点灯指示において指定されている入力電流を示す情報（つまり、ステップＳ３で取得した第１バックライトへの入力電流を示す情報）を第１バックライト１１２に入力するよう制御する。また、ＬＥＤコントローラ１２４は、点灯指示において指定されている入力電流を示す情報（つまり、ステップＳ３で取得した第２バックライトへの入力電流を示す情報）を第２バックライト１２２に入力するよう制御する。
【００３９】
ステップＳ４の処理を完了し、又はステップＳ２において、各表示部の目標輝度レベルが変化していない場合には（ステップＳ２：ＮＯ）、輝度制御部１５３は、各タッチパネルにおいて所定時間以上ユーザ操作が行われていないかを判定する（ステップＳ５）。
輝度制御部１５３は、計時部１３１からの通知がない場合には、いずれかのタッチパネルコントローラから座標値の出力が行われていることを示すので、ユーザ操作が行われていると判定し（ステップＳ５：ＮＯ）、再びステップＳ１から処理を行う。
【００４０】
また、計時部１３１からの通知があった場合には、いずれのタッチパネルコントローラからも座標値の出力が行われていないことを示すので、ユーザ操作が行われていないと判定し（ステップＳ５：ＹＥＳ）、各ＬＥＤコントローラに消灯指示を行う（ステップＳ６）。
また、輝度制御部１５３は、いずれかのタッチパネルにおいてユーザ操作が行われたかを繰り返し判定し（ステップＳ７）、いずれかのタッチパネルコントローラから座標値の出力がなされた場合に、ユーザ操作が行われたと判定し（ステップＳ７：ＹＥＳ）、再びステップＳ１から処理を行う。
【００４１】
≪実施の形態２≫
＜概要＞
実施の形態１では、特性情報テーブル１０には、第１バックライトへの入力電流及び第２バックライトへの入力電流の両方の情報が予め登録されているものとして説明した。
実施の形態２では、第１バックライトへの入力電流及び第２バックライトへの入力電流のうち、一方のバックライトへの入力電流を示す情報のみが登録されている場合に、他方のバックライトへの入力電流を算出し、算出した入力電流を示す情報を登録する例を説明する。
【００４２】
これにより、携帯電話機の製造時に予めメーカにより登録しておく情報は、片方のバックライトへの入力電流の情報だけで足りることになる。
つまり、実施の形態１では、図４を用いて説明したように、各バックライトに電流Ｉ０を入力した場合の各表示部の輝度をそれぞれ測定し、各バックライトへの入力電流を算出し、算出した入力電流を示す情報を登録する必要があった。
【００４３】
しかしながら、以下説明する実施の形態２の方法によれば、片方のバックライトに電流Ｉ０を入力した場合のそのバックライトの輝度を測定し、そのバックライトへの入力電流を算出し、算出した入力電流を示す情報を登録すれば済むことになる。従って、携帯電話機の製造時におけるメーカでの作業を軽減できる。
なお、以下では、実施の形態２に係る携帯電話機について、実施の形態１に係る携帯電話機１００との相違点を中心に説明する。
【００４４】
＜算出方法＞
以下、特性情報テーブル１０に、一方のバックライトへの入力電流を示す情報のみが登録されている場合に、他方のバックライトへの入力電流を算出する方法について図８及び図９を用いて説明する。
まず、共通の電流量を入力した場合に、より輝度が高くなった表示部のバックライトへの入力電流を示す情報が特性情報テーブル１０に登録されていない場合について説明する。
【００４５】
図８は、特性情報テーブル１０に登録されている第２バックライトの入力電流を示す情報に基づいて、第１バックライトへの入力電流を算出する方法を説明するための図である。
同図では、特性情報テーブル１０において、輝度レベル「Ｌ５」と対応付けられている情報が示す第２バックライトへの入力電流（この例では、「Ｉ２５」とする）を、第１バックライト１１２に入力した結果（同図の点Ｐ３参照）と、第２バックライト１２２に入力した結果（同図の点Ｐ４参照）とを示している。この例では、共通の入力電流（Ｉ２５）を各バックライトに入力した結果、第１表示部１１０の輝度のほうがより高くなったことを示している。
【００４６】
第１バックライト１１２への入力電流をＩ２５から徐々に低下させるよう制御していき、その結果、第１表示部１１０の輝度が第２表示部１２０の輝度と同程度になったとき（図中の点Ｐ５参照）の第１表示部の輝度（この例では「Ｌ５」）と第１バックライト１１２への入力電流（この例では「Ｉｓ１」）との関係から、第１表示部１１０の特性を特定できる。
【００４７】
なお、この第１表示部１１０の特性は数３で示される。
［数３］
第１バックライト１１２への入力電流Ｉ１＝Ｉｓ１／Ｌ５×第１表示部１１０の目標輝度Ｌ
この数３により、各輝度レベル（Ｌ１〜Ｌ５）についての第１バックライト１１２への入力電流を算出することができる。
【００４８】
次に、共通の電流量を入力した場合に、より輝度が低くなった表示部のバックライトへの入力電流を示す情報が特性情報テーブル１０に登録されていない場合について説明する。
図９は、特性情報テーブル１０に登録されている第１バックライトへの入力電流を示す情報に基づいて、第２バックライトへの入力電流を算出する方法を説明するための図である。
【００４９】
同図では、特性情報テーブル１０において、輝度レベル「Ｌ５」と対応付けられている情報が示す第１バックライトへの入力電流（この例では、「Ｉ１５」とする）を、第１バックライト１１２に入力した結果（同図の点Ｐ６参照）と、第２バックライト１２２に入力した結果（同図の点Ｐ７参照）とを示している。この例では、共通の入力電流（Ｉ１５）を各バックライトに入力した結果、第２表示部１２０の輝度のほうがより低くなったことを示している。
【００５０】
第１バックライト１１２への入力電流をＩ１５から徐々に低下させるよう制御していき、その結果、第１表示部１１０の輝度が第２表示部１２０の輝度と同程度になったとき（図中の点Ｐ８参照）の第１表示部の輝度（この例では「Ｌｓ２」）を、そのときの第１バックライト１１２への入力電流Ｉｓ２と特性情報テーブル１０に登録されている情報に基づいて算出する。この例では、Ｌｓ２＝Ｌ５／Ｉ１５×Ｉｓ２と算出できる。
【００５１】
算出した輝度Ｌｓ２と最初に各バックライトに入力した電流Ｉ１５との関係から、第２表示部１２０の特性を特定できる。
なお、この第２表示部１２０の特性は数４で示される。
［数４］
第２バックライト１２２への入力電流Ｉ２＝Ｉ１５／Ｌｓ２×第２表示部１１０の目標輝度Ｌ
この数４により、各輝度レベル（Ｌ１〜Ｌ５）についての第２バックライト１２２への入力電流を算出することができる。
【００５２】
＜機能構成＞
図１０は、実施の形態２に係る携帯電話機２００の主要部の機能構成を示すブロック図である。
携帯電話機２００は、同図に示すように、本発明に係る表示装置の一実施形態に係る表示装置２３０を含んで構成されており、第１表示部１１０、ＬＣＤコントローラ１１３、ＬＥＤコントローラ１１４、第１タッチパネル１１５、タッチパネルコントローラ１１６、第２表示部１２０、ＬＣＤコントローラ１２３、ＬＥＤコントローラ１２４、第２タッチパネル１２５、タッチパネルコントローラ１２６、光センサ１３０、計時部１３１、記憶部１４０、受付部２１０、操作部２１１及び制御部２２０を備える。
【００５３】
即ち、携帯電話機２００は、実施の形態１に係る携帯電話機１００の制御部１５０に代えて、制御部２２０を備え、更に受付部２１０及び操作部２１１を備える点で、携帯電話機１００と異なる。
なお、携帯電話機２００の製造時においては、記憶部１４０の特性情報テーブル１０には、片方のバックライトへの入力電流を示す情報が登録されていない状態にある。後述する登録部２２１による登録処理が実行されることで、図３に示すように、両方のバックライトへの入力電流を示す情報が登録された状態となる。
【００５４】
ここで、受付部２１０は、特性情報テーブル１０に登録される一方のバックライトへの入力電流を示す情報の入力を受け付け、制御部２２０に伝達する機能を有する。受付部２１０は、携帯電話機２００の製造時にメーカにおいて、特性情報テーブル１０に登録される一方のバックライトへの入力電流を示す情報を入力する際に用いられる。
また、操作部２１１は、特に、ユーザが第１表示部１１０の輝度を低下させる指示を行うためのボタン（以下、「第１調整ボタン」という）及び第２表示部１２０の輝度を低下させる指示を行うためのボタン（以下、「第２調整ボタン」という）と、両表示部の輝度が同程度であるとユーザが判断したときに押下するボタン（以下、「決定ボタン」という）とを含むものである。操作部２１１は、ユーザにより押下されたボタンに対応する入力信号を制御部２２０に送出する。
【００５５】
制御部２２０は、処理実行部１５１、表示制御部１５２、輝度制御部１５３及び登録部２２１を含んで構成され、登録部２２１を含む点で、実施の形態１に係る制御部１５０と異なる。
ここで、登録部２２１は、受付部２１０を介して受け付けた一方のバックライトへの入力電流を示す情報を特性情報テーブル１０に登録する機能と、登録した一方のバックライトへの入力電流を示す情報に基づいて、他方のバックライトへの入力電流を算出し、算出した他方のバックライトへの入力電流を示す情報を特性情報テーブル１０に登録する機能とを有する。
【００５６】
＜動作＞
次に、上記構成を備える携帯電話機２００の動作について、図１１を用いて説明する。
図１１は、携帯電話機２００の登録処理を示すフローチャートである。
同図に示す登録処理は、携帯電話機２００の電源がＯＮになった際に、いずれかのバックライトへの入力電流を示す情報が特性情報テーブル１０に登録されていない場合に開始される。
【００５７】
以下、特性情報テーブル１０に入力電流を示す情報が登録されていないほうのバックライトを「対象バックライト」といい、特性情報テーブル１０に入力電流を示す情報が登録されているほうのバックライトを「非対象バックライト」という。
まず、制御部２２０の登録部２２１は、特性情報テーブル１０において、最大輝度レベル（この例ではＬ５）と対応付けられている非対象バックライトへの入力電流（以下、「最大入力電流」ともいう）を示す情報を取得し、取得した最大入力電流を示す情報を指定した点灯指示を各ＬＥＤコントローラに行う（ステップＳ１０、Ｓ１１）。
【００５８】
また、登録部２２１は、操作部２１１からの入力信号に基づいて、第１調整ボタン及び第２調整ボタンのうちのいずれかが押下されたか否かを判定する（ステップＳ１２）。
ユーザが、輝度がより高くなっている表示部の輝度を低下させるための調整ボタンを押下した場合に（ステップＳ１２：ＹＥＳ）、登録部２２１は、押下された調整ボタンに対応するバックライトへの現在の入力電流量から所定量低下させた入力電流量を示す情報を指定した点灯指示を、対応するＬＥＤコントローラに行う（ステップＳ１３）。
【００５９】
ここで、押下された調整ボタンに対応するバックライトとは、押下された調整ボタンによりその輝度が低下するよう制御される表示部に含まれるバックライトのことをいい、対応するＬＥＤコントローラとは、そのバックライトへの点灯指示を行うＬＥＤコントローラのことをいう。
ステップＳ１３の処理を完了すると、登録部２２１は、再びステップＳ１２の処理を行い、いずれの調整ボタンも押下されていない場合には（ステップＳ１２：ＮＯ）、操作部２１１からの入力信号に基づいて、決定ボタンが押下されたか否かを判定する（ステップＳ１４）。
【００６０】
決定ボタンが押下されていない場合に（ステップＳ１４：ＮＯ）、登録部２２１は、再びステップＳ１２から処理を行う。
一方、ユーザが、両表示部の輝度が同程度になったと判断し、決定ボタンが押下された場合に（ステップＳ１４：ＹＥＳ）、登録部２２１は、対象バックライトへの現在の入力電流と、非対象バックライトを含む表示部（以下、「非対象表示部」ともいう）の現在の輝度とに基づいて、対象バックライトへの入力電流を算出し、算出した対象バックライトへの入力電流を示す情報を特性情報テーブル１０に登録する（ステップＳ１５）。
【００６１】
この対象バックライトへの入力電流の算出方法は、上述した通りである。
即ち、ステップＳ１２で押下された調整ボタンに対応するバックライトが、対象バックライトである場合には、図８を用いて説明したように、決定ボタンが押下された際の対象バックライトへの入力電流とその際の非対象表示部の輝度（最大輝度レベルＬ５）とに基づいて、つまり数３により算出できる。
【００６２】
また、ステップＳ１２で押下された調整ボタンに対応するバックライトが、非対象バックライトである場合には、図９を用いて説明したように、決定ボタンが押下された際の非対象表示部の輝度を算出し、算出した輝度とステップＳ１０で取得した最大入力電流とに基づいて、つまり数４により算出できる。
≪補足≫
以上、本発明に係る表示装置及び携帯端末を、実施の形態１及び２に基づいて説明したが、以下のように変形することも可能であり、本発明は上述した各実施の形態で示した通りの表示装置及び携帯電話機に限られないことは勿論である。
【００６３】
（１）各実施の形態に係る携帯電話機は、第１タッチパネル１１５及び第２タッチパネル１２５を備えるものとして説明したが、一方のタッチパネルのみを備えるようにしてもよい。
また、各タッチパネル（１１５及び１２５）と各タッチパネルコントローラ（１１６及び１２６）に代えて、いわゆるテンキー等のキー群やボタン群を含み、ユーザにより押下されたキー及びボタンに対応する入力信号を制御部（１５０又は２２０）へ送出する入力部を備えるように、各実施の形態に係る携帯電話機を変形してもよい。
【００６４】
その場合、この入力部から入力信号を受領する毎に、計時部１３１に所定時間の計時を開始させるよう、制御部を変形する必要がある。
（２）各実施の形態では、図６に示す輝度制御処理のステップＳ５において、所定時間以上ユーザ操作が行われていない場合に（ステップＳ５：ＹＥＳ）、輝度制御部１５３は、消灯指示を各ＬＥＤコントローラに行うものとして説明した（ステップＳ６）。
【００６５】
しかしながら、所定時間毎に、段階的に輝度レベルを低下させ、最終的に消灯させるように制御してもよい。即ち、例えば、各表示部における現在の輝度レベルが「Ｌ２」である場合に、所定時間後には輝度レベルを「Ｌ１」に低下させ、更に所定時間後に消灯させるようにしてもよい。
なお、ここでは、輝度レベルを１レベルずつ低下させる例を用いて説明したが、複数レベルずつ、あるいは所定レベルに低下させるようにしてもよい。即ち、例えば、各表示部における現在の輝度レベルが「Ｌ３」である場合に、所定時間後に輝度レベルを「Ｌ１」に低下させ、更に所定時間後に消灯させるようにしてもよい。
【００６６】
また、所定時間毎に、段階的に輝度レベルを低下させ、消灯させることなく、最も低い輝度レベル（この例ではＬ１）で維持するように制御してもよい。
（３）各実施の形態では、輝度制御部１５３が、光センサ１３０が検出した周囲の明るさに応じて、各表示部の輝度レベルを決定するものとして説明したが、その他の方法で輝度レベルを決定するようにしてもよい。
【００６７】
例えば、各表示部の輝度を調整（低下又は上昇）するためのボタンの押下といったユーザ操作に応じて、輝度レベルを決定するよう輝度制御部１５３を変形してもよい。なお、このボタンは、ハードウェアボタンであってもよいし、各タッチパネル（１１５、１２５）に表示されるソフトウェアボタンであってもよい。
また、各実施の形態では、輝度制御部１５３が、光センサ１３０が検出した周囲の明るさに応じて、各表示部の輝度レベルを共通の輝度レベルに決定するものとして説明したが、異なる輝度レベルに決定してもよい。
【００６８】
例えば、光センサ１３０が検出した周囲の明るさに応じた輝度レベルを元に一方の表示部の輝度レベルを所定段階変更したり、処理実行部１５１からの指示に従って、各表示部の輝度レベルを個別に所定の輝度レベルに決定してもよい。
例えば、一部に太陽の画像を含む１つの大きな画像を各表示部に分割して表示させるような場合に、その太陽の画像を含む部分画像を表示する表示部の輝度レベルを、他方の表示部の輝度レベルより高くすることで、太陽光が降り注いでいるような特定の視覚効果が得られるようにしてもよい。
【００６９】
（４）実施の形態２で説明した第１調整ボタン及び第２調整ボタンはハードウェアボタンであるものとして説明したが、各タッチパネルに表示されるソフトウェアボタンであってもよい。なお、この場合、図１１に示す登録処理の実行中においてもこのソフトウェアボタンが視認できるように、最大輝度レベルＬ５を設定するか、あるいはこのソフトウェアボタンが視認できるような輝度レベル（例えば、輝度レベルＬ３）に対応する入力電流を示す情報を取得するよう、ステップＳ１０の処理を変更する必要がある。
【００７０】
（５）実施の形態２では、図１１に示すように、まず、各バックライトに非対象バックライトへの最大入力電流を入力し、ユーザ操作に応じて、輝度がより高くなった表示部の輝度を低下させていき、両表示部の輝度が同程度になったときの対象バックライトへの入力電流と非対象表示部の輝度とに基づいて、対象バックライトへの入力電流を算出するものとして説明した。
【００７１】
しかしながら、各バックライトに入力可能な電流量の範囲内の所定電流を各バックライトに入力し、ユーザ操作により、各表示部の輝度を調整（低下又は上昇）していき、両表示部の輝度が同程度になったときの対象バックライトへの入力電流と非対象表示部の輝度とに基づいて、対象バックライトへの入力電流を算出するようにしてもよい。
この場合、対応する表示部の輝度を調整（低下又は上昇）する指示を行えるように、各調整ボタンを変形する必要がある。
【００７２】
（６）実施の形態２では、携帯電話機２００の製造時において、特性情報テーブル１０には、一方のバックライトへの入力電流を示す情報しか登録されていない場合を例に、他方のバックライトへの入力電流を算出して、算出した他方のバックライトへの入力電流を示す情報を特性情報テーブル１０に登録するものとして説明した。
しかしながら、運用中に故障等により、一方のバックライトを交換する必要が生じた場合に、交換時にメーカにおいて、特性情報テーブル１０に登録されている交換対象のバックライトへの入力電流を示す情報を削除するようにすることで、交換したバックライトへの入力電流を算出して、算出した交換したバックライトへの入力電流を示す情報を特性情報テーブル１０に登録するようにすることもできる。
【００７３】
また、交換時にメーカにおいて、特性情報テーブル１０に登録されている交換対象のバックライトへの入力電流を示す情報を削除することに代えて、以下のようにフラグを更新するようにしてもよい。
即ち、携帯電話機２００を、特性情報テーブル１０の第１バックライトへの入力電流を示す情報が有効であるか無効であるかを示す第１フラグと、特性情報テーブル１０の第２バックライトへの入力電流を示す情報が有効であるか無効であるかを示す第２フラグとを記憶するように変形してもよい。
【００７４】
この場合において、一方のバックライトを交換する必要が生じた場合に、交換時にメーカにおいて、交換対象のバックライトに対応するフラグを「無効」に更新するようにする。
この変形に係る携帯電話機は、電源がＯＮになった場合において、いずれかのフラグが「無効」を示すときに、図１１に示す登録処理を行うようにする。なお、同図に示す登録処理では、「無効」を示すフラグに対応するバックライト（つまり、交換したバックライト）を対象バックライトとして処理する必要がある。
【００７５】
（７）実施の形態２では、携帯電話機２００の電源がＯＮになった場合において、いずれか一方のバックライトへの入力電流を示す情報が特性情報テーブル１０に登録されていないときに、図１１に示す登録処理を実行するものとして説明した。
しかしながら、ユーザが、対象バックライトを指定して登録処理を開始する操作を行った際に、登録処理を実行するよう変形してもよい。
【００７６】
これにより、例えば、各バックライト（ＬＥＤバックライト）が劣化し、各表示部の特性が変化してしまったような場合に、ユーザが特性情報テーブル１０に登録されている情報を更新することができるようになる。
（８）実施の形態１では、受付部２１０を介して受け付けた一方のバックライトへの入力電流を示す情報を登録部２２１が記憶部１４０の特性情報テーブル１０に登録するものとして説明した。しかしながら、記憶部１４０を着脱可能な不揮発性の記憶媒体により実現し、受付部２１０及び登録部２２１を介さずに、外部装置（例えばパソコン）を用いて直接この記憶媒体に、一方のバックライトへの入力電流を登録した特性情報テーブル１０を書き込むようにしてもよい。
【００７７】
（９）実施の形態１では、特性情報テーブル１０は、製造時にメーカにおいて登録されるものとして説明した。しかしながら、製造時にメーカでは、各バックライトに電流Ｉ０を入力した場合の各表示部の輝度の測定結果（図４の輝度Ｌ１０、輝度Ｌ２０）を入力するようにし、入力された情報に基づいて携帯電話機側で各バックライトへの入力電流を示す情報を生成し、特性情報テーブル１０に登録するようにしてもよい。
【００７８】
（１０）各実施の形態では、各表示部は、Ｌ１〜Ｌ５の５段階の輝度レベルでの表示が可能であるものとして説明したが、輝度レベルは５段階に限らず、１段階（つまり、点灯時の輝度が固定レベル）以上であれば、５段階より多くても少なくてもよく、ユーザが、段階数の選択肢の中から選択できるようにしてもよい。
（１１）各実施の形態では、各表示部の輝度を、各バックライトへの入力電流量により制御するものとして説明したが、各バックライト（ＬＥＤ）の点灯と消灯とを高速に繰り返すことで、輝度を制御するようにしてもよい（いわゆるＰＷＭ（Pulse Width Modulation）制御）。
【００７９】
即ち、各表示部の輝度を制御するための入力量の一例として、実施の形態では、入力電流量を用いて説明したが、単位時間当たりの定電流の入力時間長であってもよい。
（１２）各実施の形態に係る携帯電話機は、スライド式の携帯電話機であるものとして説明したが、２つの表示部を備える限り、折りたたみ式の携帯電話機やストレート型の携帯電話機等、他の外観を有する携帯電話機であってもよい。
【００８０】
（１３）各実施の形態に係る各タッチパネルは、静電容量方式のタッチセンサであるものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００８１】
また、各タッチパネルは、静電容量方式のタッチセンサである場合に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等、適宜なものを用いてもよい。
【００８２】
（１４）実施の形態１に係る携帯電話機１００は、図１（ｃ）に示すように開状態で、第１表示部１１０と第２表示部１２０とが略同一平面上に配置されるものとして説明したが、ユーザが各表示部を見ることができる態様であれば、どのような配置でもよい。
例えば、開状態で、第１筐体１の第１表示部１１０を含む表面と、第２筐体２の第２表示部１２０を含む表面とが略平行になるように配置されてもよいし、第１筐体１の第１表示部１１０を含む表面と、第２筐体２の第２表示部１２０を含む表面との間に、ユーザが各表示部を見ることができる程度の角度が生じるように配置されてもよい。
【００８３】
また、各実施の形態では、各ＬＣＤ（１１１、１２１）の形状は、略矩形状であるとして説明したが、例えば、円形上、その他多角形状であってもよく、また、各ＬＣＤの画素数は同一であっても、異なってもよい。
また、各表示部（１１０及び１２０）は、液晶ディスプレイ（ＬＣＤ）であるものとして説明したが、プラズマディスプレイや有機ＥＬ（Electro-Luminescence）ディスプレイ等であってもよい。
【００８４】
（１５）各実施の形態において説明した各構成要素のうち、全部又は一部を１チップ又は複数チップの集積回路で実現してもよいし、コンピュータのプログラムで実現してもよいし、その他どのような形態で実現してもよい。
また、各実施の形態において説明した各構成要素は、携帯電話機が有するプロセッサと協働することにより、その機能を実現する。
【００８５】
（１６）各実施の形態において説明した携帯電話機の輝度制御処理及び登録処理（図６、図１１参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより各実施の形態で示した携帯電話機の各機能が実現される。
【００８６】
（１７）各実施の形態に係る携帯電話機に、上記（１）〜（１６）の一部又は全部の変形を組み合わせて適用してもよい。
（１８）以下、更に本発明の一実施形態に係る携帯端末及び表示装置の構成及びその変形例と各効果について説明する。
（ａ）本発明の一実施形態に係る携帯端末は、第１表示領域を有し、入力量に応じた輝度で表示を行う第１表示部と、第２表示領域を有し、入力量に応じた輝度で表示を行う第２表示部と、前記第１表示領域の輝度と当該輝度に制御するための入力量との関係及び前記第２表示領域の輝度と当該輝度に制御するための入力量との関係を示す特性情報を記憶する記憶部と、前記第１表示領域の目標輝度が第１輝度と、前記第２表示領域の目標輝度が前記第１輝度と特定の関係を有する第２輝度と決定された場合に、前記記憶部の前記特性情報に基づいて、前記第１表示領域の輝度を前記第１輝度に制御するための第１入力量と、前記第２表示領域の輝度を前記第２輝度に制御するための第２入力量とをそれぞれ特定し、特定した前記第１入力量を前記第１表示部に入力し、特定した前記第２入力量を前記第２表示部に入力するよう制御する輝度制御部とを備える。
【００８７】
また、本発明の一実施形態に係る表示装置は、第１表示領域を有し、輝度を制御するための入力量に応じた輝度で表示を行う第１表示部と、第２表示領域を有し、輝度を制御するための入力量に応じた輝度で表示を行う第２表示部と、前記第１表示領域の輝度と当該輝度に制御するための入力量との関係及び前記第２表示領域の輝度と当該輝度に制御するための入力量との関係を示す特性情報を記憶する記憶部と、前記第１表示領域の目標輝度が第１輝度と、前記第２表示領域の目標輝度が前記第１輝度と特定の関係を有する第２輝度と決定された場合に、前記記憶部の前記特性情報に基づいて、前記第１表示領域の輝度を前記第１輝度に制御するための第１入力量と、前記第２表示領域の輝度を前記第２輝度に制御するための第２入力量とをそれぞれ特定し、特定した前記第１入力量を前記第１表示部に入力し、特定した前記第２入力量を前記第２表示部に入力するよう制御する輝度制御部とを備える。
【００８８】
この携帯端末及びこの表示装置によれば、各表示部における入力量に対する表示領域の輝度にばらつき、つまり、各表示部の個体間の輝度特性にばらつきがある場合でも、記憶されている特性情報に基づいて各表示部に入力すべき第１入力量及び第２入力量をより正確に特定できるので、各表示部の輝度が特定の関係を有するように表示を行うことができる。
【００８９】
（ｂ）また、前記第１表示部は、前記第１表示領域を有するＬＣＤ（Liquid Crystal Display）と、入力された電流量に応じた明るさで発光する第１バックライトとを含み、前記第２表示部は、前記第２表示領域を有するＬＣＤと、入力された電流量に応じた明るさで発光する第２バックライトとを含み、前記特性情報は、各表示領域の輝度と当該輝度に制御するために各バックライトに入力されるべき電流量との関係を示す情報であり、前記輝度制御部は、前記特性情報に基づいて、前記第１表示領域の輝度を前記第１輝度に制御するための電流量を前記第１入力量として、前記第２表示領域の輝度を前記第２輝度に制御するための電流量を前記第２入力量としてそれぞれ特定することとしてもよい。
【００９０】
この携帯端末によれば、各バックライトにおける入力電流量に対する表示領域の輝度にばらつきがある場合でも、記憶されている特性情報に基づいて各バックライトに入力すべき電流量をより正確に特定できるので、各表示部の輝度が特定の関係を有するように表示を行うことができる。
（ｃ）また、前記特性情報は、複数の輝度レベル毎に、当該輝度レベルを示す情報と、当該輝度レベルに各表示領域を制御するために各バックライトに入力すべき電流量を示す情報とを対応付けたものであり、前記第１輝度及び前記第２輝度は、前記複数の輝度レベルの内のいずれかの輝度レベルを示すものであり、前記輝度制御部は、前記第１輝度を示す情報と前記特定情報において対応付けられている情報が示す前記第１バックライトに入力すべき電流量を前記第１入力量として、前記第２輝度を示す情報と前記特定情報において対応付けられている情報が示す前記第２バックライトに入力すべき電流量を前記第２入力量としてそれぞれ特定することとしてもよい。
【００９１】
この携帯端末によれば、各バックライトにおける入力電流量に対する表示領域の輝度にばらつきがある場合でも、記憶されている特性情報に基づいてより正確に、各表示部の輝度が、複数の輝度レベルの内の目標の輝度レベルになるように表示することができる。
（ｄ）また、前記輝度制御部は、前記複数の輝度レベルの内の共通する一のレベルが前記第１輝度及び前記第２輝度と決定された場合に、前記第１入力量及び前記第２入力量を特定し、特定した前記第１入力量を前記第１表示部に入力し、特定した前記第２入力量を前記第２表示部に入力するよう制御することとしてもよい。
【００９２】
この携帯端末によれば、各バックライトにおける入力電流量に対する表示領域の輝度にばらつきがある場合でも、記憶されている特性情報に基づいてより正確に、各表示部の輝度が、複数の輝度レベルの内の目標とする共通の輝度レベルになるように表示することができる。
（ｅ）また、前記携帯端末は、更に前記第１表示部における輝度と前記第１バックライトに入力する電流量との関係を示す情報を受け付ける受付部と、各バックライトに共通の電流量を入力した後に、少なくとも一方のバックライトに入力する電流量を変化させることで、各表示領域の輝度が同程度になった際の前記第１表示領域における輝度を、その際に前記第１バックライトに入力されていた電流量と前記受付部が受け付けた情報とに基づいて特定し、特定した前記第１表示領域における輝度と各表示領域の輝度が同程度になった際に前記第２バックライトに入力されていた電流量との関係を示す情報及び前記受付部が受け付けた情報を前記特性情報として前記記憶部に登録する登録部とを備えることとしてもよい。
【００９３】
この携帯端末によれば、第２バックライトにおける入力電流量と第２表示領域の輝度との関係を示す情報を外部から受け付けることなく、この情報を、外部から受け付けた第１バックライトにおける入力電流量と第１表示領域の輝度との関係を示す情報に基づいて特定することができる。従って、例えばこの携帯端末の製造時にメーカにおいて、第２バックライトにおける入力電流量と第２表示領域の輝度との関係を示す情報を生成し記憶させておく手間を省くことができる。
【産業上の利用可能性】
【００９４】
本発明に係る携帯端末は、複数の表示部に画像を表示させて使用する場合に利用される。
【符号の説明】
【００９５】
１    第１筐体
２    第２筐体
３    アーム
４    レシーバ
５    マイク
１０  特性情報テーブル
１００、２００    携帯電話機
１１０    第１表示部
１１１    第１ＬＣＤ
１１２    第１バックライト
１１３、１２３    ＬＣＤコントローラ
１１４、１２４    ＬＥＤコントローラ
１１５    第１タッチパネル
１１６、１２６    タッチパネルコントローラ
１２０    第２表示部
１２１    第２ＬＣＤ
１２２    第２バックライト
１２５    第２タッチパネル
１３０    光センサ
１３１    計時部
１４０    記憶部
１５０、２２０    制御部
１５１    処理実行部
１５２    表示制御部
１５３    輝度制御部
１６０、２３０    表示装置
２１０    受付部
２１１    操作部
２２１    登録部
【図１】
2012220937.tif 000003
【図２】
2012220937.tif 000004
【図３】
2012220937.tif 000005
【図４】
2012220937.tif 000006
【図５】
2012220937.tif 000007
【図６】
2012220937.tif 000008
【図７】
2012220937.tif 000009
【図８】
2012220937.tif 000010
【図９】
2012220937.tif 000011
【図１０】
2012220937.tif 000012
【図１１】
2012220937.tif 000013